(57)【要約】【課題】工事業者の作業班が端末機を携行し、専門工事業者の管理装置に出来高情報を随時送受して、進捗状況を随時確認できるようにすると共に、月毎の出来高集計を自動化し、稼働の省力化を図る。【解決手段】携帯端末機と、サーバと、設計図を表す画像データなどのデータ群をサーバから読み出して受渡ファイルを作成し、作業班の携帯端末機に送信し、携帯端末機に登録された出来高情報を集約して出来高管理を行う出来高管理装置とを備え、携帯端末機は、データ群を格納するスレーブデータベースを有し、画面に、設計図と重なる線分若しくは線分で囲む領域により施工箇所を表示する一方、タッチ操作して登録された出来高情報を出来高管理装置に送信する。【選択図】図２
2013206099.tif 000002
【特許請求の範囲】
【請求項１】
建築工事の特定の分野を担当する専門工事業者の傘下で工事を分担する複数の施工業者の作業班それぞれが携行し、画面をタッチ操作して出来高情報を登録する複数の携帯端末機と、
前記専門工事業者が担当する建築工事の設計図を表わす画像データ、該設計図上の施工箇所を表示する線分の座標データ、該施工箇所の各施工区分における工程数量を表わす積算データ、該施工箇所を分担施工する上記作業班の属性を表わす属性データ、及び該作業班の出来高情報を表わす出来高データが格納されたサーバと、
前記専門工事業者により選別された前記設計図を表す画像データ、該設計図上の施工箇所を表示する前記座標データ、該施工箇所の前記積算データ、前記属性データ、及び前記出来高データが含まれるデータ群を前記サーバから読み出して受渡ファイルを作成し、作成された該受渡ファイルを、該施工箇所を分担施工する前記作業班の前記携帯端末機に送信し、該携帯端末機に登録された前記出来高情報を集約して出来高管理を行う出来高管理装置と、を備え、
前記携帯端末機は、
前記出来高管理装置から受信した前記データ群を格納するスレーブデータベースを有し、
前記画面に、前記設計図と重なる線分若しくは該線分で囲む領域により前記施工箇所を表示する一方、該線分若しくは該領域の識別子をタッチ操作して登録された前記出来高情報を前記出来高管理装置に送信することを特徴とする出来高管理システム。
【請求項２】
前記サーバは、複数の建築工事の設計図を表わす画像データが格納されたフォルダと、前記座標データ、前記積算データ、前記属性データ、及び前記出来高データが格納されたマスタデータベースと、を有するものであり、
前記サーバを共有し、互いに異なる建築工事の前記出来高管理を分担する複数の前記出来高管理装置を備え、
前記携帯端末機は、何れかの建築工事の出来高管理を分担する前記出来高管理装置からネットワーク若しくはＵＳＢメモリを介して前記受渡ファイルを受信し、タッチ操作して登録された何れかの建築工事の前記出来高情報を、該出来高情報を集約して出来高管理を行う該出来高管理装置に送信することを特徴とする請求項１記載の出来高管理システム。
【請求項３】
前記携帯端末機は、
前記画面に、メニュー項目を表示し、選択されたメニュー項目の実行指令を発出する携帯指令手段と、
前記受渡ファイルを取込む前記実行指令が発出されたとき、該受渡ファイルに記録されたデータ群を前記スレーブデータベースに格納する受渡ファイル取込手段と、
出来高情報を登録する前記実行指令が発出されたとき、前記マスタデータベースに格納された前記出来高情報に基づいて、前記線分若しくは前記領域を、予め定められた線種若しくは色で表示する出来高登録手段と、を備えたことを特徴とする請求項１又は２記載の出来高管理システム。
【請求項４】
前記出来高管理装置は、
画面にメニュー項目それぞれを表示し、選択されたメニュー項目の実行指令を発出する指令手段と、
前記携帯端末機から受信した前記出来高情報を取込む前記実行指令が発出されたとき、該携帯端末機から受信した前記作業班、前記施工区分、及び前記施工箇所それぞれの識別子が付された前記出来高情報を前記サーバに格納する出来高取込手段と、
前記携帯端末機から受信した前記出来高情報をチェックする前記実行指令が発出されたとき、所定期間に受信した前記出来高情報のうちの最新のものを前記サーバから読み出して、前記施工箇所、前記施工区分、及び前記作業班それぞれの所定期間の出来高実績を算出し、所定条件を満たす該出来高実績、及び前記施工箇所又は前記施工区分それぞれについて該出来高実績を集計した出来高実績集計それぞれを前記サーバに格納する出来高チェック手段と、
月締め処理を行う前記実行指令が発出されたとき、
前記サーバに格納された前記出来高実績の当月分を、前記作業班それぞれについて集計した作業班出来高集計及び前記施工区分又は前記施工箇所それぞれついて集計した施工区分出来高集計又は施工箇所出来高集計を算出すると共に、該作業班出来高集計を算出した当該月分の出来高実績に、前月までの出来高実績を加えた累積出来高実績を出来高締め情報として該サーバに格納する月締処理手段と、
前記受渡ファイルを送信する前記実行指令が発出され、出来高管理を行う前記設計図が選別されたとき、前記サーバに格納された前記当月分の出来高実績及び前記出来高締め情報が含まれる前記データ群を前記サーバから読み出して受渡ファイルを作成し、作成された該受渡ファイルを、該施工箇所を分担施工する前記作業班それぞれの前記携帯端末機に送信する受渡ファイル送信手段と、を具備したことを特徴とする請求項１から３のうちの何れか1項記載の出来高管理システム。
【請求項５】
前記領域は、設計図上に表示される空間であって、該空間を識別する識別子を有し、
前記出来高登録手段は、前記線分若しくは前記識別子がタッチ操作されたとき、タッチ操作された該線分若しくは該識別子によって表示される前記施工箇所の出来高情報を登録する登録ボックスを表示することを特徴とする請求項３記載の出来高管理システム。
【請求項６】
前記出来高チェック手段は、前記マスタデータベースに格納されたデータ群に基づいて、前記画面に、前記施工箇所を表わす前記線分それぞれ若しくは前記領域それぞれを前記出来高実績に応じた色若しくは線種で表示し、表示された該線分若しくは前記領域がタッチ操作されたとき、タッチ操作された該線分若しくは該領域における前記出来高実績を修正登録し、前記ダメ工事情報に対する応対を登録する登録画面を表示することを特徴とする請求項４記載の出来高管理システム。
【請求項７】
前記出来高管理装置は、
前記出来高情報の集計を表示する前記指令情報が発出されたとき、前記画面に、前記サーバに格納された前記施工区分出来高集計又は前記施工箇所出来高集計を一覧表示し、又は前記出来高締め情報を、前記施工箇所を表わす前記線分それぞれ若しくは前記領域それぞれを前記出来高締め情報に出来高実績に応じた色若しくは線種で表示する出来高表示手段を備えたことを特徴とする請求項４記載の出来高管理システム。
【請求項８】
前記出来高登録手段は、前記施工箇所を表わす前記線分がタッチ操作されたとき、該施工箇所の出来高率が１００％のときは太い実線で、該出来高率が１００％未満のときは太い破線で、それぞれ表示し、前記識別子がタッチ操作されたとき、該施工箇所の出来高率が１００％のときは該領域全体を所定の色で、該出来高率が１００％未満のときは該領域全体を所定の色の斜線で表示することを特徴とする請求項５記載の出来高管理システム。
【請求項９】
前記出来高情報は、前記施工区分それぞれにおける前記施工箇所の、累積出来高数量又は累積出来高率を表わす出来高履歴及び月間の出来高数量又は出来高率の累積を表わす累積出来高実績並びに前工程不備に起因する施工不能を表わすダメ工事情報を含み、
前記登録ボックスは、前記出来高履歴の登録スペース、前記ダメ工事情報の登録スペース、及びタッチ操作された前記施工箇所における前記出来高情報の表示スペースを有し、
前記出来高登録手段は、前記登録ボックスにおける前記登録スペースに登録された前記出来高履歴及び前記ダメ工事情報を前記スレーブデータベースに格納することを特徴とする請求項５記載の出来高管理システム。
【請求項１０】
前記出来高取込み手段により前記サーバに格納された前記出来高情報には、前記出来高履歴及び前記ダメ工事情報が含まれ、
前記出来高情報チェック手段は、前記サーバに格納された、前記ダメ工事情報に対して、応対日の記録がない前記出来高実績、前記出来高履歴が減殺されてマイナスとなっている前記出来高実績、同一の前記施工区分及び同一の前記施工箇所において競合して存在する前記出来高実績、及び同一の前記施工区分及び同一の前記施工箇所における累積出来高率が１００％を超えている前記出来高実績は、前記条件を満たさないことを識別する識別子を付して前記サーバに格納することを特徴とする請求項６又は７記載の出来高管理システム。
【請求項１１】
前記出来高情報チェック手段又は前記出来高表示手段は、
前記施工箇所を表わす前記線分がタッチ操作されたとき、該施工箇所の出来高率が１００％のときは太い実線で、該出来高率が１００％未満のときは太い破線で、それぞれ表示し、前記スペースの識別子がタッチ操作されたとき、該施工箇所の出来高率が１００％のときは該領域全体を所定の色で、該出来高率が１００％未満のときは該領域全体を所定の色の斜線で表示することを特徴とする請求項６又は７記載の出来高管理システム。
【請求項１２】
登録された出来高情報を送信する前記実行指令が発出されたとき、前記スレーブデータベースに格納された前記出来高履歴及び前記ダメ工事情報を含む前記出来高情報を、該出来高情報の出来高管理を行う前記出来高管理装置に送信する出来高送信手段と、を備えたことを特徴とする請求項９記載の出来高管理システム。
【請求項１３】
前記受渡ファイル取込手段は、前記出来高管理装置から受信した前記受渡ファイルから取込んだ前記累積出来高実績と前記スレーブデータベースに格納された前記出来高履歴とを対比し、不一致の場合には、該スレーブデータベースに格納された前記出来高履歴に注意を促す識別子を付し、
前記出来高登録手段は、前記施工箇所それぞれの出来高情報を表示する前記指令情報が発出されたとき、前記出来高履歴に前記識別子が付された前記施工箇所を前記画面に表示することを特徴とする請求項９記載の出来高管理システム。
【請求項１４】
前記マスタデータベース及び前記スレーブデータベースは、
建築工事現場の名称及び該建築工事現場の識別子が格納された現場情報テーブルと、各作業班の名称、各作業班の識別子、及び各作業班のパスワード格納された作業班情報テーブルと、建築工事現場の識別子、設計図の識別子、作業班の識別子、及び出来高登録の権限が格納された権限情報テーブルと、設計図の識別子、建築工事現場の識別子、設計図を画面表示する画素数が格納された図面情報テーブルと、複数の線分で囲われた部屋・ホールなどをあらわす施工箇所グループ名、施工箇所グループの識別子、建築工事現場の識別子、設計図の識別子が格納された施工箇所グループテーブルと、施工区分の名称及び施工区分の識別子が格納された施工区分テーブルと、線分の座標、線分の識別子、建築工事現場の識別子、設計図の識別子、施工区分の識別子、及び施工箇所グループの識別子が格納された座標情報テーブルと、積算数量及び積算数量の識別子が格納された積算集計値テーブルと、出来高率、出来高率を登録した線分の識別子、登録した作業班の識別子、登録を行った日付、出来高率が減査定されたことを識別する識別子が格納された出来高履歴情報テーブルと、出来高査定を行った出来高率、出来高率を登録した線分の識別子、締め処理の対象月、出来高登録を行った作業班の識別子、前回出来高査定を行った出来高率、及び出来高送付日又は査定日が格納された出来高実績情報テーブルと、全作業班の出来高率の合計及び合算した線分の識別子が格納された出来高集計情報テーブルと、ダメ工事を登録した日付、ダメ工事の内容、アクションを取った日付、ダメ工事を登録した線分の識別子、及び登録した作業班の識別子が格納されたダメ工事情報テーブルと、出来高の締めを行った累積出来高率、出来高の締めを行った線分の識別子、締め処理の対象月、及び登録した作業班の識別子が格納された出来高締め情報テーブルと、全ての携帯端末機及び出来高管理装置の識別子、及び受渡しデータの作成日付が格納された端末情報テーブルと、を有することを特徴とする請求項１から１３のうち何れか１項記載の出来高管理システム。
【発明の詳細な説明】
【技術分野】
【０００１】
本発明は、建築工事における特定の作業分野を担当する専門工事業者の傘下で配分された工事を施工する複数の施工業者が携帯端末を用いて簡便に工事の進捗確認や出来高報告が行えるうえ、ネットワーク等経由で出来高報告を受けた管理装置により出来高管理や月締処理が行える出来高管理システムに関するものである。
【背景技術】
【０００２】
従来、建造物の躯体工事については、基礎工事、鉄筋工事、コンクリート工事等の如く工程が明確であり、一つの工程が終了した後に次の工程が開始されるため、多数の施工業者が従事する場合であっても、職種が同じため、出来高の数量管理は比較的容易であった。しかしながら、内装工事や設備工事等については、職種の異なる複数の施工業者が同時並行的、あるいは工程順に沿って重層的に従事するので、施工箇所が錯綜し、コンピュータ利用による出来高管理は困難であるとされてきた。
このため、チェックシート等を現場に持参して、施工区分毎の出来高を記入して、事務所に戻って、現場毎、業者毎のチェックリストに転記し、出来高管理を行っている。しかし、チェック作業が煩雑で、記入ミスや処理ミスが生じ易く、さらに意思疎通も不十分になりがちであることから、施工業者との間に支払額を巡るトラブルが生じ易く、出来高管理を行う管理者の負荷が増大する傾向にある。
さらに、工程毎、箇所毎の進捗状況を一元的に管理することが困難なため、後工程の施工業者は、前工程の施工業者に逐一進捗確認をするか、その都度現地確認を行って材料や作業班の手配を行う必要がある。そこで、段取りや手配を行う管理業務が増大している。
【０００３】
これらの課題を解決するため、タッチパネル式の携帯端末と、その携帯端末から受信したデータにより作業管理を一元的に行う作業管理装置とにより構成され、施工箇所の各作業を観察しながら、携帯端末に表示させた施工現場の工事項目爛に進捗率データを入力したり、表示させた被検対象の立面図等に不具合個所情報を入力したりして作業管理装置に送信し、作業管理装置は、各携帯端末から受信したデータをもとに施工箇所の品質検査データ、進捗状況検査結果データ、安全検査データを棒グラフ等で表示したり、それを印刷したりする方法（特許文献１参照）や、タッチパネル式携帯端末に施工箇所の工事項目を表示させ、施工箇所の各作業の進捗状況を観察しながら、未着手、作業開始、作業終了、ダメあり、全てＯＫの何れかの区分にタッチすることにより、マンションや事務所ビル等の躯体工事、仕上げ工事などの作業の進捗状況を簡便にチェックする出来高管理システム（特許文献２参照）等が提案されている。
また、内装設備工事を作業区画と作業内容とによって区分すると同時に、各区分を最小単位と最小単位の複合体に整理し、内装設備工事のシミュレーションと階層的管理を可能にすると共に、作業工程の実施に伴う時間、労務、資機材等の数量管理等を容易にする工程管理システム（特許文献３参照）や、テナントが多数存在し、区画単位で独立して内装工事が行われる大規模ショッピングセンター等においては、何らかの条件変更や日程変更が行われると関係業者間の調整が不可欠となるため、内装工事に携わる業者間の情報授受を司る内装監理システム（特許文献４）が提案されている。
【先行技術文献】
【特許文献】
【０００４】
【特許文献１】特開平６−１８７３４９号公報
【特許文献２】特開平１０−３７４６０号公報
【特許文献３】特開２００４−１５２１３５号公報
【特許文献４】特開２００９−２０５３１８号公報
【発明の概要】
【発明が解決しようとする課題】
【０００５】
しかしながら、特許文献１又は特許文献２で提案されている方法は、発注業者が施工箇所の品質検査データ、進捗状況検査結果データ、安全検査データを表示させたり、躯体工事、仕上げ工事などの捗状況をチェックすることは出来ても、それによって施工業者が進捗状況を確認し、段取りを取ったり、作業員を手配したりするのに役立てることや、発注業者及び施工業者双の月締処理を自動化するまでには至っていない。
また、特許文献３で提案されている方法は、部屋別に工事内容を細分化し、工程や金額をシュミレーションするのでシステムを立ち上げるために事前準備の負荷が大きい上、図面との連携がなされていないため、データが誤投入される恐れが払拭し切れない。
さらに、特許文献４で提案されている方法は、同一施工箇所に従事する複数業者間の情報共有が目的であることから、出来高管理や月締処理を自動的に行うことまでは考慮されていない。
本発明は、上記事情に鑑み、複数の建築施工箇所を作業分野毎に分担する専門工事業者の傘下で工事を分担施工する複数の工事業者の作業班それぞれが端末機を携行し、それらの端末機とネットワーク等で結ばれた専門工事業者の管理装置に、出来高情報を随時送受して、端末機や管理装置の画面で正確な進捗状況を随時確認できるようにすると共に、工事代金算定の根拠となる月毎の出来高集計を自動化し、稼働の省力化を図ることが可能な出来高管理システムを提供することを目的とする。
【課題を解決するための手段】
【０００６】
本発明の出来高管理装置は、建築工事の特定の分野を担当する専門工事業者の傘下で工事を分担する複数の施工業者の作業班それぞれが携行し、画面をタッチ操作して出来高情報を登録する複数の携帯端末機と、上記専門工事業者が担当する建築工事の設計図を表わす画像データ、該設計図上の施工箇所を表示する線分の座標データ、該施工箇所の各施工区分における工程数量を表わす積算データ、該施工箇所を分担施工する上記作業班の属性を表わす属性データ、及び該作業班の出来高情報を表わす出来高データが格納されたサーバと、上記専門工事業者により選別された上記設計図を表す画像データ、該設計図上の施工箇所を表示する上記座標データ、該施工箇所の上記積算データ、上記属性データ、及び上記出来高データが含まれるデータ群を上記サーバから読み出して受渡ファイルを作成し、作成された該受渡ファイルを、該施工箇所を分担施工する上記作業班の上記携帯端末機に送信し、該携帯端末機に登録された上記出来高情報を集約して出来高管理を行う出来高管理装置と、を備え、上記携帯端末機は、上記出来高管理装置から受信した上記データ群を格納するスレーブデータベースを有し、上記画面に、上記設計図と重なる線分若しくは該線分で囲む領域により上記施工箇所を表示する一方、該線分若しくは該領域の識別子をタッチ操作して登録された上記出来高情報を上記出来高管理装置に送信することを特徴とする。
このように、建築工事現場で作業を行う作業班それぞれが端末機を携行し、その端末機で随時出来高を登録し、登録された出来高をネットワークを介して出来高管理を行うＰＣに集約すると共に、出来高管理装置でチェックした出来高を各端末機にフィードバックし、出来高を双方で確認することができるので、正確な出来高管理ができる。さらに、設計図や施工箇所、あるいは積算数量や出来高を画面に表示するのに必要なデータをＰＣ側も端末機側も持っているので、双方の画面に設計図に重ねて施工箇所を線分や領域で表示され、その線分や領域をタッチ操作して出来高を容易に登録することができる。
【０００７】
ここで、上記サーバは、複数の建築工事の設計図を表わす画像データが格納されたフォルダと、上記座標データ、上記積算データ、上記属性データ、及び上記出来高データが格納されたマスタデータベースと、を有するものであり、上記サーバを共有し、互いに異なる建築工事の上記出来高管理を分担する複数の上記出来高管理装置を備え、上記携帯端末機は、何れかの建築工事の出来高管理を分担する上記出来高管理装置からネットワーク若しくはＵＳＢメモリを介して上記受渡ファイルを受信し、タッチ操作して登録された何れかの建築工事の上記出来高情報を、該出来高情報を集約して出来高管理を行う該出来高管理装置に送信することができる。
このように、出来高管理装置を複数配置することにより、複数の建築工事を施工する場合でも、オペレータの負荷を分散することができる。
また、上記携帯端末機は、上記画面に、メニュー項目を表示し、選択されたメニュー項目の実行指令を発出する携帯指令手段と、上記受渡ファイルを取込む上記実行指令が発出されたとき、該受渡ファイルに記録されたデータ群を上記スレーブデータベースに格納する受渡ファイル取込手段と、出来高情報を登録する上記実行指令が発出されたとき、上記マスタデータベースに格納された上記出来高情報に基づいて、上記線分若しくは上記領域を、予め定められた線種若しくは色で表示する出来高登録手段と、を備えたことが好ましく、さらに上記領域は、設計図上に表示される空間であって、該空間を識別する識別子を有し、上記出来高登録手段は、上記線分若しくは上記識別子がタッチ操作されたとき、タッチ操作された該線分若しくは該識別子によって表示される上記施工箇所の出来高情報を登録する登録ボックスを表示することも好ましい。
また、上記出来高情報は、上記施工区分それぞれにおける上記施工箇所の、累積出来高数量又は累積出来高率を表わす出来高履歴及び月間の出来高数量又は出来高率の累積を表わす累積出来高実績並びに前工程不備に起因する施工不能を表わすダメ工事情報を含み、上記登録ボックスは、上記出来高履歴の登録スペース、上記ダメ工事情報の登録スペース、及びタッチ操作された上記施工箇所における上記出来高情報の表示スペースを有し、上記出来高登録手段は、上記登録ボックスにおける上記登録スペースに登録された上記出来高履歴及び上記ダメ工事情報を上記スレーブデータベースに格納することもできる。
このようにメニュー項目に従って、出来高管理装置から受信した情報を取込んだり、出来高登録ができれば、操作が容易である。また、設計図に重なる線のほか、面的広がりのある領域も室名などを識別子としてタッチ操作で指定できるようにすれば、壁面のみならず床や天井などの施工箇所の出来高を容易に登録できる。また、登録ボックスによりダメ工事の登録も可能になる。
さらに、上記出来高登録手段は、上記施工箇所を表わす上記線分がタッチ操作されたとき、該施工箇所の出来高率が１００％のときは太い実線で、該出来高率が１００％未満のときは太い破線で、それぞれ表示し、上記識別子がタッチ操作されたとき、該施工箇所の出来高率が１００％のときは該領域全体を所定の色で、該出来高率が１００％未満のときは該領域全体を所定の色の斜線で表示することができる。
このように出来高を施工箇所を表わす線分の線種や領域の色などで画面に表示すれば、出来高の進捗状況が一目瞭然となる。
【０００８】
また、上記出来高管理装置は、画面にメニュー項目それぞれを表示し、選択されたメニュー項目の実行指令を発出する指令手段と、上記携帯端末機から受信した上記出来高情報を取込む上記実行指令が発出されたとき、該携帯端末機から受信した上記作業班、上記施工区分、及び上記施工箇所それぞれの識別子が付された上記出来高情報を上記サーバに格納する出来高取込手段と、上記携帯端末機から受信した上記出来高情報をチェックする上記実行指令が発出されたとき、所定期間に受信した上記出来高情報のうちの最新のものを上記サーバから読み出して、上記施工箇所、上記施工区分、及び上記作業班それぞれの所定期間の出来高実績を算出し、所定条件を満たす該出来高実績、及び上記施工箇所又は上記施工区分それぞれについて該出来高実績を集計した出来高実績集計それぞれを上記サーバに格納する出来高チェック手段と、月締め処理を行う上記実行指令が発出されたとき、上記サーバに格納された上記出来高実績の当月分を、上記作業班それぞれについて集計した作業班出来高集計及び上記施工区分又は上記施工箇所それぞれついて集計した施工区分出来高集計又は施工箇所出来高集計を算出すると共に、該作業班出来高集計を算出した当該月分の出来高実績に、前月までの出来高実績を加えた累積出来高実績を出来高締め情報として該サーバに格納する月締処理手段と、上記受渡ファイルを送信する上記実行指令が発出され、出来高管理を行う上記設計図が選別されたとき、上記サーバに格納された上記当月分の出来高実績及び上記出来高締め情報が含まれる上記データ群を上記サーバから読み出して受渡ファイルを作成し、作成された該受渡ファイルを、該施工箇所を分担施工する上記作業班それぞれの上記携帯端末機に送信する受渡ファイル送信手段と、を具備したことが好ましい。
このように、メニュー項目に従って、携帯端末機から受信した情報を取込んだり、出来高をチェックしたり、月締め処理を行ったり、携帯端末機に送る受渡ファイルの作成や送信をすれば、操作が容易である。また、チェック手段で、一定の条件によって出来高をチェックすれば、チェック後の出来高を月締め対象の出来高とすることができる。
また、上記出来高チェック手段は、上記マスタデータベースに格納されたデータ群に基づいて、上記画面に、上記施工箇所を表わす上記線分それぞれ若しくは上記領域それぞれを上記出来高実績に応じた色若しくは線種で表示し、表示された該線分若しくは上記領域がタッチ操作されたとき、タッチ操作された該線分若しくは該領域における上記出来高実績を修正登録し、上記ダメ工事情報に対する対応状況を登録する登録ボックスを表示することができる。
【０００９】
さらに、上記出来高管理装置は、上記出来高情報の集計を表示する上記指令情報が発出されたとき、上記画面に、上記サーバに格納された上記施工区分出来高集計又は上記施工箇所出来高集計を一覧表示し、又は上記出来高締め情報を、上記施工箇所を表わす上記線分それぞれ若しくは上記領域それぞれを上記出来高締め情報に出来高実績に応じた色若しくは線種で表示する出来高表示手段を備えたことも好ましく、上記出来高情報チェック手段又は上記出来高表示手段は、上記施工箇所を表わす上記線分がタッチ操作されたとき、該施工箇所の出来高率が１００％のときは太い実線で、該出来高率が１００％未満のときは太い破線で、それぞれ表示し、上記スペースの識別子がタッチ操作されたとき、該施工箇所の出来高率が１００％のときは該領域全体を所定の色で、該出来高率が１００％未満のときは該領域全体を所定の色の斜線で表示することも好ましい。
このように、出来高管理装置も、タッチ操作により各種の出来高を、施工箇所を表わす線分の線種や領域の色等で表示したり、出来高の一覧表を画面に表示すれば、出来高管理が容易である。
【００１０】
また、登録された出来高情報を送信する上記実行指令が発出されたとき、上記スレーブデータベースに格納された上記出来高履歴及び上記ダメ工事情報を含む上記出来高情報を、該出来高情報の出来高管理を行う上記出来高管理装置に送信する出来高送信手段と、を備えたことや、上記受渡ファイル取込手段は、上記出来高管理装置から受信した上記受渡ファイルから取込んだ上記累積出来高実績と上記スレーブデータベースに格納された上記出来高履歴とを対比し、不一致の場合には、該スレーブデータベースに格納された上記出来高履歴に注意を促す識別子を付し、上記出来高登録手段は、上記施工箇所それぞれの出来高情報を表示する上記指令情報が発出されたとき、上記出来高履歴に上記識別子が付された上記施工箇所を上記画面に表示することができる。
このように、出来高管理装置で出来高査定をした出来高と、携帯端末機で登録した出来高との不一致を携帯端末機側でチェックすれば、出来高が減殺されたか否かをセルフチェックできるので、正確な出来高を把握できる。
上記出来高データ取込み手段により上記サーバに格納された上記出来高情報には、上記出来高履歴及び上記ダメ工事情報が含まれ、上記出来高情報チェック手段は、上記サーバに格納された、上記ダメ工事情報に対して、応対日の記録がない上記出来高実績、上記出来高履歴が減殺されてマイナスとなっている上記出来高実績、同一の上記施工区分及び同一の上記施工箇所において競合して存在する上記出来高実績、及び同一の上記施工区分及び同一の上記施工箇所における累積出来高率が１００％を超えている上記出来高実績は、上記条件を満たさないことを識別する識別子を付して上記サーバに格納することも好ましい。
このようにすれば、出来高査定をある程度まで自動処理する事ができる。
【００１１】
上記マスタデータベース及び上記スレーブデータベースは、建築工事現場の名称及び該建築工事現場の識別子が格納された現場情報テーブルと、各作業班の名称、各作業班の識別子、及び各作業班のパスワード格納された作業班情報テーブルと、建築工事現場の識別子、設計図の識別子、作業班の識別子、及び出来高登録の権限が格納された権限情報テーブルと、設計図の識別子、建築工事現場の識別子、設計図を画面表示する画素数が格納された図面情報テーブルと、複数の線分で囲われた部屋・ホールなどをあらわす施工箇所グループ名、施工箇所グループの識別子、建築工事現場の識別子、設計図の識別子が格納された施工箇所グループテーブルと、施工区分の名称及び施工区分の識別子が格納された施工区分テーブルと、線分の座標、線分の識別子、建築工事現場の識別子、設計図の識別子、施工区分の識別子、及び施工箇所グループの識別子が格納された座標情報テーブルと、積算数量及び積算数量の識別子が格納された積算集計値テーブルと、出来高率、出来高率を登録した線分の識別子、登録した作業班の識別子、登録を行った日付、出来高率が減査定されたことを識別する識別子が格納された出来高履歴情報テーブルと、出来高査定を行った出来高率、出来高率を登録した線分の識別子、締め処理の対象月、出来高登録を行った作業班の識別子、前回出来高査定を行った出来高率、及び出来高送付日又は査定日が格納された出来高実績情報テーブルと、全作業班の出来高率の合計及び合算した線分の識別子が格納された出来高集計情報テーブルと、ダメ工事を登録した日付、ダメ工事の内容、アクションを取った日付、ダメ工事を登録した線分の識別子、及び登録した作業班の識別子が格納されたダメ工事情報テーブルと、出来高の締めを行った累積出来高率、出来高の締めを行った線分の識別子、締め処理の対象月、及び登録した作業班の識別子が格納された出来高締め情報テーブルと、全ての携帯端末機及び出来高管理装置の識別子、及び受渡しデータの作成日付が格納された端末情報テーブルと、を有することが好ましい。
データベースに格納されるデータをこのような構造にすれば、出来高管理装置や携帯端末機による出来高登録や出来高管理が容易である。
【発明の効果】
【００１２】
本発明の出来高管理装置システムによれば、各施工業者は、進捗状況を容易に把握できるので段どりを取り易くなり、工期短縮につながる。また、出来高を随時報告し、査定を受けた出来高を知り、早めに調整することができるので、正確な出来高が把握され、出来高月報が不要となり、省力化が図れる。さらに、出来高の月締処理が自動化されるので、省力化が図れるほか、請求額の根拠となる出来高と支払額の根拠となる出来高との間に齟齬が無くなり、両者のトラブルが減るほか、調整に要する時間と手間を減らすことができる。また、出来高が随時報告されるので、出来高管理に要する稼働の平準化が図れる。
【図面の簡単な説明】
【００１３】
【図１】図１は、本実施形態の出来高管理システムの構成を示す図である。
【図２】図２は、本実施形態の出来高管理システムの機能ブロックを示す図である。
【図３】図３は、ＤＢのテーブルツリーを示す図である。
【図４】図４は、出来高管理装置から携帯端末機に送信される受渡ファイルの構造を示す図である。
【図５】図５は、出来高管理装置の電源をＯＮにしたときに表示されるログイン画面を示す図である。
【図６】図６は、出来高管理装置におけるメニュー選択画面の一例を示す図である。
【図７】図７は、受渡ファイルを作成・送信する選択画面の一例を示す図である。
【図８】図８は、携帯端末機から受信した受渡データの取込画面の一例を示す図である。
【図９】図９は、出来高査定を行う選択画面の一例を示す図である。
【図１０】図１０は、出来高査定処理の結果を表示する画面の一例を示す図である。
【図１１】図１１は、締め処理を行う選択メニュー画面を示す図である。
【図１２】図１２は、出来高一覧表を示す図である。
【図１３】図１３は、受渡ファイルを作成・送信処理を示す図である。
【図１４】図１４は、携帯端末機から受信した受渡データの取込処理を示す図である。
【図１５】図１５は、携帯端末機から受信した受渡データのチェック処理を示す図である。
【図１６】図１６は、月締め処理を示す図である。
【図１７】図１７は、携帯端末機の電源をＯＮにしたときに表示されるログイン画面を示す図である。
【図１８】図１８は、携帯端末機におけるメニュー選択画面の一例を示す図である。
【図１９】図１９は、出来高履歴の登録画面の一例を示す図である。
【図２０】図２０は、出来高履歴の登録画面の一例を示す図である。
【図２１】図２１は、出来高履歴の登録画面の一例を示す図である。
【図２２】図２２は、出来高管理装置から受信した受渡ファイルの取込処理を示す図である。
【図２３】図２３は、登録された出来高情報を出来高管理装置に送信する処理を示す図である。
【発明を実施するための形態】
【００１４】
以下に、本発明の出来高管理システムの実施形態について説明する。
図１は、本実施形態の出来高管理システムの構成を示す図である。
図１に示すように、本実施形態の出来高管理システムは、ネットワーク１とのインタフェースを有する複数の携帯端末機２と、建築工事の設計図を画面に表示する複数の画像ファイルを格納したフォルダ３ａ及び施工箇所を画面に表示する座標データ、積算データ、出来高データ、及び建築工事を施工する作業班の属性データを格納したマスタデータベース３ｂを管理するサーバ３と、そのサーバ３と共にＬＡＮ４に接続され、ネットワーク１とのインタフェースを有する複数の出来高管理装置５と、により構成されている。
携帯端末機２は、建築工事の仕上げ工事（内装工事、塗装工事、左官工事、建具工事、木工事などをいう。以下同じ。）を担当する専門工事業者の傘下で、それぞれの工事を分担施工する複数の施工業者、及びそれぞれの施工業者の監督下で実際に作業を行う作業班が作業現場に携行し、デイスプレイに表示される設計図や線分等で表示される施工箇所をタッチ操作することにより、施工箇所の出来高を確認することや、施工した工事の出来高を登録して出来高管理を行う出来高管理装置５に送信するために使用するタッチパネル付デイスプレイを備えたタブレットタイプのモバイル端末機である。
ここで、携帯端末機は、インターネット通信機能を備え、施工箇所でモバイル端末機に入力した出来高をその場で送信することにしてもよいし、施工業者の事務所に備える光回線のルータに接続し、あるいは最寄りの公衆ＬＡＮ等を介して出来高管理装置に送信してもよい。
【００１５】
出来高管理装置５は、建築工事のうちの仕上げ工事を一括して請け負う専門工事業者が、その仕上げ工事を壁鉄骨下地、壁石膏ボード、天井鉄骨下地、天井化粧石膏ボード、塗装仕上げ、漆喰、窓枠、サッシ、襖等の施工区分毎に傘下の複数の施工業者に分担施工させる場合の出来高を管理する為に用いるパーソナルコンピュータである。
傘下の施工業者は、配下に複数の作業班を擁し、作業班それぞれは携帯端末機２を建築工事現場に携行して、その都度、タッチ操作で画面に表示される設計図上の線分の色、種別で出来高実績を確認し、新たに施工した出来高を登録して出来高管理装置５に送信する。それぞれの携帯端末機２から出来高の情報を受信した出来高管理装置５は、それらの情報をチェックし、集計して出来高管理を行う一方、チェックした結果を各携帯端末機２にフィードバックすることにより、出来高を巡るトラブルの防止と、正確な出来高情報の集約による月締め処理の省力化（施工業者との間及び元請業者との間の出来高報告等の省略化）と出来高管理の平準化が期待できる。
その場合、建築工事が複数となり、オペレータの負荷が過大になる場合には、パーソナルコンピュータを複数台設置し、例えば建築工事現場毎に出来高管理を分担することができる。
【００１６】
サーバ３は、複数の建築工事の設計図に係るイメージデータ（本発明の「画像データ」に相当する。）を例えばＪＰＥＧ形式で記録された画像ファイルを複数格納したフォルダ３ａと、設計図に合わせて施工箇所を線分（例えば壁面など）又は複数の線分で囲われた領域（例えば部屋の床・天井など）として画面表示する座標データ、仕様毎の積算数量（本発明の「工程数量」に相当する。）を表す積算データ、作業班それぞれの名称、パスワード、アドレスなどの属性データ、及び出来高率などの出来高情報を表す出来高データ、それぞれが格納されたマスタデータベース３ｂと、を管理するパーソナルコンピュータである。出来高管理装置が複数台設置される場合は、複数の出来高管理装置でサーバを共有する。
サーバ３及び出来高管理装置５は、通常専門工事業者のオフィスに設置され、それらを接続するＬＡＮ４は、例えば無線ＬＡＮ親機と無線ＬＡＮ子機とからなり、無線ＬＡＮ親機は、光回線のルータに接続し、ＵＳＢ型又はカード型の無線ＬＡＮ子機は、出来高管理装置それぞれ及びサーバを構成するパーソナルコンピュータのポートに挿入して接続される。
【００１７】
出来高管理装置５と携帯端末機２それぞれとの間の情報の送受は、主として、それぞれのメーリング機能を用いて行われる。
ただし、多くの作業班を抱える施工業者の事務所等で高速の通信回線を使用している場合には、それらの作業班が携行する携帯端末機により、現地で出来高の登録等を行った後、施工業者の事務所に戻ってから高速通信回線を使って送信し、そのとき受渡ファイルを受信することにしてもよい。また、公衆ＬＡＮ等がサービスされている地域では、それらを使って送受してもよい。
ここで、本実施形態の出来高管理システムの出来高管理装置５は、仕上げ工事を担当する専門工事業者が管理し、その傘下で作業を分担する複数の施工業者それぞれの作業班が携帯端末機２を携行する場合に絞って説明しているが、必ずしも仕上げ工事に限定する必要はなく、設備工事、配管工事、あるいは電気工事などの分野において、少なくとも１つの建築工事を受け持ち、傘下に複数の施工業者それぞれの作業班をかかえ、それら作業班それぞれに担当する分野の工事を分担施工させる場合には適用がある。
【００１８】
図２は、本実施形態の出来高管理システムの機能ブロックを示す図である。
図２の出来高管理システムは、説明の都合上、サーバ３を共有する複数の出来高管理装置５のうちの１台、及びその出来高管理装置５にネットワークを介して接続された複数の携帯端末機２のうちの１台が示され、出来高管理装置５及び携帯端末機２それぞれをネットワークにつなぐ周知の無線ＬＡＮ親機及び周知の光回線のルータ等は省略されている。
サーバ３は、専門工事業者が担当する建築工事の設計図を画面に表示する画像データを、例えばＪＰＥＧ形式の画像ファイルとして多数の画像ファイルを格納するフォルダ３ａと、設計図上の線分又は複数の線分で囲われた領域でその専門工事業者の各施工箇所を表示する座標データ、その各施工箇所における施工区分毎の工程数量を表す積算データ、その各施工箇所を分担施工する各作業班の属性を表わす属性データ、及びその各作業班が施工した各施工箇所における施工区分毎の出来高情報を表す出来高データを格納するマスタデータベース３ｂとを管理する。
【００１９】
ここで、出来高情報は、以下の（１）〜（８）に記載する情報が含まれる。
（１）各携帯端末機で登録された、各施工箇所における施工区分毎の出来高（累積出来高数量又は累積出来高率で「出来高履歴」と称する。以下同じ。）の情報。
（２）各作業班の各施工箇所における施工区分毎の出来高履歴から算出した当月の実績出来高（最新の出来高履歴から前回月締めを行った際の出来高締めを差し引いた出来高数量又は出来高率。以下、同じ。）の情報。
（３）当月の実績出来高のうち出来高査定を行ったもの（「出来高実績と」と称する。）の情報。
なお、出来高査定には、出来高履歴のうち、所定の条件を満たすか否かを判別することをいい、出来高管理装置が自動処理によって判別したものと、専門工事業者の調査により判別したものとがある。
（４）出来高査定の結果、条件を満たさないと判別され、識別子が付された当月の実績出来高の情報。
（５）前月の締め日から当月の締め日までの出来高実績を累積した出来高締め（累積出来高数量又は累積出来高率）の情報。
（６）ダメ工事（本発明の「前工程不備に起因する施工不能」に相当する。）の情報。
（７）携帯端末機で登録した出来高履歴に対し出来高管理装置で減殺査定された、識別子付出来高履歴の情報。
（８）各施工区分における各施工箇所の全作業班の出来高締め（「出来高集計」と称する。以下同じ。）の情報。
また、施工区分は、大分類・中分類・小分類で表わされ、大分類は、耐火壁、天井下地、天井仕上、壁下地、壁仕上、床下地、床仕上、開口部などが含まれ、中分類には、金属工事、ボード工事、シート・Ｐタイル工事、床板工事、クロス工事、木造作工事、石・タイル工事、塗装・左官工事、ガラス、建具工事などが含まれ、小分類は、工事仕様・材料等が含まれる。
なお、本実施形態の画像データは、ＪＰＥＧ形式等の画像ファイルに収容されてフォルダに格納されているが、必ずしもその必要はなく、データベースに直接格納してもよい。
【００２０】
出来高管理装置５は、画面にメニュー項目それぞれを表示し、選択されたメニュー項目を実行させる指令情報を発出する指令手段５１と、携帯端末機２から受信した各作業班の出来高情報が記録された受渡データ７をサーバに格納する出来高取込手段５２と、携帯端末機２から受信した出来高情報のうちの最新のものをサーバから読み出して、予め設定された条件を満たすものを選別する出来高チェック手段５３と、出来高チェック手段５３で選別され、条件を満たす出来高情報から算出された当月の出来高実績を、作業班別、施工業者別、施工区分別に集計し、当該月の出来高締めを算出する月締処理手段５４と、サーバ３からイメージデータ、座標データ、積算データ、出来高データを含むデータ群を読み出して受渡ファイル６を作成し、建築工事を分担施工する作業班の各携帯端末機２にその受渡ファイル６を送信する受渡ファイル送信手段５５と、
サーバ３に格納された出来高情報に基づいて、各施工箇所の出来高実績や各施工区分の出来高実績、ダメ工事情報、条件を持たさない出来高情報などを、設計図に重なる線又は面の色若しくは線種で、画面に表示させる出来高表示手段５６とを有する。
【００２１】
指令手段５１は、電源が投入されたとき、画面にメニュー項目それぞれを表示し、該当するメニュー項目がクリックされたとき、そのメニュー項目を実行させる指令情報を各手段に発出する機能を有する。
出来高データ取込み手段５２は、携帯端末機２から受信した各作業班の出来高情報を、ダメ工事情報と出来高履歴とに区分し、作業班の識別情報、施工箇所及び施工区分の識別情報、登録日を付して、サーバ３に格納する機能を有する。
出来高情報チェック手段５３は、所定期間（「所定期間」とは、前月の締め日から、当月の締め日までの期間で、専門工事業者によって任意に設定される。以下、同じ。）にサーバ３に格納された出来高履歴のうち最新のものを読み出して、施工箇所毎に、各施工区分の、所定期間の出来高実績（所定期間に施工された工程数量又は出来高率をいう、以下、同じ。）を作業班毎に算出し、算出された出来高実績が後述する条件を満たすものはそのまま出来高実績として、条件を満たさないものは、識別子を付して、マスタデータベース３ｂに格納する。そして、識別子の付されていない出来高実績を全ての作業班について集計した施工箇所毎の出来高集計と、施工区分毎の出来高集計とをマスタデータベース３ｂに格納する機能を有する。また、サーバ３に格納されたデータ群に基づいて、画面に、施工箇所それぞれを線分又は領域（部屋・ホールなどの空間を表し、本発明の「施工箇所グループ」に相当する。）で表示し、選択ボタンで選択された各施工区分の各作業班毎の出来高実績を線又は領域の色若しくは線種で表示する。また、その線分又は領域の識別子（部屋などの名称として表示され、「施工箇所グループＩＤ」に相当する。）がタッチ操作されたときには、その線分又は領域で表わされた施工個所の工程数量、出来高数量、出来高率を一覧表示する機能を有する。
【００２２】
月締処理手段５４は、サーバ３に格納された所定期間の出来高実績を読み出して、作業班毎又は施工業者毎に集計することや施工区分毎又は施工箇所毎に集計して、各施工業者に支払う工事代金の根拠となる業者毎出来高実績集計やゼネコンに請求する工事代金の根拠となる全体出来高実績集計を画面に一覧表示することや、プリンタに出力することができる。また、前月の締め日までの累計出来高実績に当月の締め日における出来高実績を加算した累積出来高実績を出来高締め情報としてサーバに格納する機能を有する。
受渡ファイル送信手段５５は、建築工事の設計図を画面に表示する画像ファイルをフォルダ３ａから、施工箇所を設計図に重なる線分や複数の線分で囲う領域で表わす座標データ、施工箇所の仕様や積算数量を表わす積算データ、出来高履歴・出来高実績・累積出来高実績など色々な出来高情報を含む出来高データ、作業班の氏名やパスワードなどの属性を表わす属性データをマスタデータベース３ｂからそれぞれ読み出して、それらのデータ群を格納した受渡ファイル６を作成し、作成された受渡ファイル６を、建築工事を分担施工する作業班の携帯端末機それぞれに、例えばｅ−ｍａｉｌで送信する機能を有する。
出来高表示手段５６は、画面に表示された設計図に重なる線分によって壁面などの施工箇所を表し、複数の線分で囲う領域によって部屋やホールなどの施工箇所を表わす。そして、同時に画面表示する選択ボタンによって選択された特定の作業班や特定の施工区分の出来高実績、出来高が二重登録されて競合した施工箇所、前工程に起因して施工不能なダメ工事となる施工箇所などを、線分や領域の色や線種で表示する機能を有する。
ここで、データ群とは、フォルダ３ａに格納された設計図の画像ファイルのうち、出来高管理を行う建築工事の設計図に関する画像ファイルと、マスタデータベース３ｂに格納された、設計図に重なる線分や領域で施工箇所を表わす座標データ、その施工箇所の施工区分毎の仕様及び積算数量を表す積算データ、その施工箇所を分担施工する作業班の属性を表わす属性データ、及び作業班が登録した出来高情報などの出来高データをいい、出来高データには、登録した出来高履歴、条件を満たす出来高実績及び条件を満たさない出来高実績、ダメ工事情報、減査定された出来高履歴、累積出来実績（出来高締め）、全作業班の出来高集計など、出来高全般に亘る情報が含まれる。
【００２３】
携帯端末機２は、画面にメニュー項目それぞれを表示し、選択されたメニュー項目を実行させる指令情報を発出する携帯指令手段２１と、データ群を格納するスレーブデータベース２５と、受渡ファイルからデータ群をスレーブデータベースに格納する受渡ファイル取込手段２２と、画面に、施工箇所、出来高情報、及び出来高を登録する登録ボックスを表示させる出来高登録手段２３と、登録ボックスに登録され、スレーブデータベースに格納された出来高を出来高管理を行う出来高管理装置に送信する出来高送信手段２４と、を有する。
【００２４】
スレーブデータベース２５は、マスタデータベース３ｂと構造がほぼ同じで、出来高管理装置から受信した受渡ファイル６のデータ群を格納する。
受渡ファイル取込手段２２は、受渡ファイル６のデータ群を、スレーブデータベース２５に格納されたデータ群と比較して、初期取込みの場合を除き、既に格納された設計図の画像データ、座標データ、積算データは除外して、出来高実績や月締めなどの新たに加わったデータ群又は変更されたデータ群のみをスレーブデータベースに格納する機能を有する。
ただし、設計変更等により画像データ、座標データ、及び積算データの一部が追加又は変更され旨の識別子が検出された場合には、追加又は変更された画像データ、座標データ、及び積算データを取込む。
出来高登録手段２３は、スレーブデータベース２５に格納されたデータ群に基づいて、画面に、壁面等の施工箇所を線分で、天井・床等の施工箇所を線分で囲う領域として表示し、選択ボタンによって選択された施工区分の出来高履歴を線分や領域の色若しくは線種で表示する機能を有する。また、その線分や領域の識別子（部屋などの名称として表示されるもので、「施工箇所グループＩＤ」に相当する。）がタッチ操作されたときは、その線分又は領域で表わされた施工個所の工程数量、出来高数量、出来高率を一覧表示することや、その施工箇所の出来高率や出来高数量を出来高履歴として登録し、ダメ工事情報を記入して申告する登録ボックスを表示する機能を有する。また、登録ボックスに登録された出来高履歴をスレーブデータベース２５に格納する機能も有する。
なお、出来高登録手段２３により表示される画面の具体例やメニュー項目については、後述する。
出来高送信手段２４は、スレーブデータベース２５に格納された受渡ファイル情報テーブル等から送信元の出来高管理装置５の識別情報を読み出して送信先の出来高管理装置５を特定する一方、登録ボックスに登録されて、スレーブデータベース２５に格納された出来高履歴やダメ工事情報などの出来高情報をテンプレートに従って編集し、送信先が特定された出来高管理装置５に送信する機能を有する。
【００２５】
表１−１及び表１−２は、マスタデータベース及びスレーブデータベース（以下、「ＤＢ」と称する。）に格納されるテーブル名及びそのフィールドの一覧表である。
【表１−１】
2013206099.tif 000003
【表１−２】
2013206099.tif 000004
表１−１及び表１−２に示すＤＢは、現場情報テーブル、作業班情報テーブル、権限情報テーブル、図面情報テーブル、施工箇所グループテーブル、施工区分テーブル、座標情報テーブル、積算集計値テーブル、出来高履歴情報テーブル、出来高実績情報テーブル、出来高集計情報テーブル、ダメ工事情報テーブル、出来高締め情報テーブル、端末情報テーブル、受渡ファイル情報テーブルを有する。
【００２６】
端末情報テーブルのフィールドには、ｌｏｎｇ形式で記述された、全ての携帯端末機及び出来高管理装置の識別情報（端末ＩＤ）と、固定長形式（５０文字）で記述された、携帯端末機の名称及び出来高管理装置の名称と、が格納され、出来高管理装置の端末ＩＤには、１ビットの親機フラグが、自分の携帯端末機の端末ＩＤには、１ビットの自端末フラグが付されている。
受渡ファイル情報テーブルには、ｌｏｎｇ形式で記述された、送信日付を識別する送信ＩＤと、ｄａｔｅ形式で記述された、受渡データ作成日付と、固定長形式（５０文字）で記述された、送信先（出来高管理装置又は携帯端末機）と、固定長形式（５０文字）で記述された、送信元（出来高管理装置又は携帯端末機）と、ｌｏｎｇ形式で記述された、送信を行った作業班を識別する識別情報（作業班ＩＤ）と、固定長形式（５０文字）で記述された、作業班の名称と、が格納されている。
【００２７】
出来高履歴情報テーブルには、ｌｏｎｇ形式で記述された、積算線（施工箇所を表わす設計図上の領域における線又は面の開始座標と終了座標）を識別する積算ＩＤと、ｄａｔｅ形式で記述された、締め処理の対象となる月と、ｌｏｎｇ形式で記述された、出来高登録を行った作業班を識別する作業班ＩＤと、ｄａｔｅ形式で記述された、登録を行った日付と、ｂｉｔ形式で記述された、出来高の送信を行ったか否かを識別するフラグと、ｓｉｎｇｌｅ形式で記述された、出来高率と、ｂｉｔ形式で記述された、出来高率が減査定された等の注意を促す要注意フラグと、が格納されている。
出来高実績情報テーブルには、ｌｏｎｇ形式で記述された、積算ＩＤと、ｄａｔｅ形式で記述された、締め処理の対象となる月と、ｌｏｎｇ形式で記述された、出来高登録を行った作業班を識別する作業班ＩＤと、ｓｉｎｇｌｅ形式で記述された、出来高査定を行った出来高率と、ｓｉｎｇｌｅ形式で記述された、前回出来高査定を行ったときの保存出来高率と、ｂｉｔ形式で記述された、取込みが行われた出来高であることを識別する取込フラグと、ｂｉｔ形式で記述された、月締めが行われた出来高であることを識別する締め済フラグと、ｄａｔｅ形式で記述された、出来高送信日付（スレーブＤＢ）又は出来高査定日付（マスタＤＢ）と、が格納されている。
出来高締め情報テーブルには、ｌｏｎｇ形式で記述された積算ＩＤと、ｄａｔｅ形式で記述された、締め処理の対象となる月と、ｌｏｎｇ形式で記述された、出来高登録を行った作業班を識別する作業班ＩＤと、ｓｉｎｇｌｅ形式で記述された、出来高の締めを行った出来高率と、が格納されている。
出来高集計情報テーブルには、ｌｏｎｇ形式で記述された積算ＩＤと、全作業班の出来高率の合計と、が格納されている。
ダメ工事情報テーブルには、ｌｏｎｇ形式で記述された積算ＩＤと、ダメ工事情報を登録した作業班を識別する作業班ＩＤと、ｄａｔｅ形式で記述された、ダメ工事を登録した日付と、ｄａｔｅ形式で記述された、ダメ工事にアクションを取った日付と、固定長形式（２５５文字）で記述された、ダメ工事の内容と、が格納されている。
【００２８】
座標情報テーブルには、ｌｏｎｇ形式で記述された、出来高を登録する施工箇所（積算線）を識別する積算ＩＤと、ｌｏｎｇ形式で記述された、建築工事の現場を識別する現場ＩＤと、ｌｏｎｇ形式で記述された、設計図を識別する図面ＩＤと、ｌｏｎｇ形式で記述された、施工区分を識別する施工区分ＩＤと、ｌｏｎｇ形式で記述された、複数の施工箇所からなる施工箇所グループを識別する施工箇所グループＩＤと、ｄｏｕｂｌｅ形式で記述された、積算線の開始Ｘ座標、開始Ｙ座標、終了Ｘ座標、終了Ｙ座標と、が格納されている。
積算集計値テーブルには、ｌｏｎｇ形式で記述された積算ＩＤと、ｄｏｕｂｌｅ形式で記述された積算数量と、が格納されている。
施工区分テーブルには、ｌｏｎｇ形式で記述された、施工区分を識別する施工区分ＩＤと、固定長形式（５０文字）で記述された施工区分の名称と、が格納されている。
施工箇所グループテーブルには、ｌｏｎｇ形式で記述された、複数の積算線で形成された部屋・ブロックなどをあらわす施工箇所グループＩＤと、ｌｏｎｇ形式で記述された現場ＩＤと、ｌｏｎｇ形式で記述された図面ＩＤと、固定長形式（５０文字）で記述された施工箇所グループの名称と、が格納されている。
現場情報テーブルには、ｌｏｎｇ形式で記述された、建築工事の現場を識別する現場ＩＤと、固定長形式（５０文字）で記述された建築工事現場の名称と、が格納されている。
図面情報テーブルには、ｌｏｎｇ形式で記述された設計図を識別する図面ＩＤと、建築工事の現場を識別する現場ＩＤと、
ｄｏｕｂｌｅ形式で記述された、設計図を画面表示する際の比率と、が格納されている。
【００２９】
権限情報テーブルには、ｌｏｎｇ形式で記述された、建築工事の現場を識別する現場ＩＤと、ｌｏｎｇ形式で記述された設計図を識別する図面ＩＤと、ｌｏｎｇ形式で記述された作業班を識別する作業班ＩＤと、ｉｎｔｅｇｅｒ形式で記述された、書き込み可・不可の権限と、が格納されている。
作業班情報テーブルは、ｌｏｎｇ形式で記述された作業班を識別する作業班ＩＤと、固定長形式（５０文字）で記述された作業班の名称と、固定長形式（５０文字）で記述された各作業班のパスワードと、が格納されている。
【００３０】
図３は、ＤＢのテーブルツリーを示す図である。
図３に示すテーブルツリーは、現場情報テーブル３ｂ１の現場ＩＤと、図面情報テーブル３ｂ２の図面ＩＤとにより、設計図が特定され、その設計図は、作業班情報テーブル３ｂ３の作業班ＩＤと、図面情報テーブル３ｂ２の現場ＩＤ及び図面ＩＤとにより、権限情報テーブル３ｂ４にその作業班がその図面の施工箇所に出来高等を登録する権限を有するか否かがわかる。設計図上の線分で表わされる施工箇所は、座標情報テーブル３ｂ７の積算ＩＤで特定され、複数の線分で囲う領域（部屋・ホール等）は、施工箇所グループ情報テーブル３ｂ５の施工箇所グループＩＤで特定され、施工区分は、施工区分テーブル３ｂ６の施工区分ＩＤが特定される。また、座標情報テーブル３ｂ７により施工箇所の積算ＩＤが特定されると、積算集計値テーブル３ｂ８により積算数量が特定される。さらに、座標情報テーブル３ｂ７の施工箇所の積算ＩＤにより、出来高履歴情報テーブル３ｂ９の作業班毎の出来高率、出来高実績情報テーブル３ｂ１０の作業班毎の出来高率、出来高集計情報テーブル３ｂ１１の全体の出来高率、ダメ工事情報テーブル３ｂ１２の作業班毎のダメ工事、出来高締め情報テーブル３ｂ１３の作業班毎の出来高率が特定される。
【００３１】
図４は、出来高管理装置から携帯端末機に送信される受渡ファイルの構造を示す図である。
図４に示す受渡ファイル６には、現場ＩＤと図面ＩＤとにより関連付けられた図面情報関連データ６ａ及び座標情報関連データ６ｂと、積算ＩＤにより関連つけられた積算集計値データ６ｃ、出来高締めデータ６ｄ、出来高実績データ６ｅ、出来高履歴データ６ｆ及びダメ工事データ６ｇと、現場ＩＤと図面ＩＤとによって図面情報関連データ６ａや座標情報関連データ６ｂに関連付けられたＪＰＥＧ形式の画像ファイル６ｈと、が格納される。
図面情報関連データ６ａには、受渡ファイル情報テーブルから送信日付、受渡データ作成日付、送信先、送信元、作業班の名称が書き込まれた受渡ファイル情報、現場情報テーブル１から専門工事業者が出来高管理の対象とする建築工事現場の名称が書き込まれた現場情報、図面情報テーブル３ｂ２から設計図を識別する図面ＩＤ、建築工事現場を識別する現場ＩＤ、及び設計図を画面表示する際の比率が書き込まれた図面情報、権限情報テーブル４から現場ＩＤ、図面ＩＤ、作業班ＩＤ、及び出来高の登録ができる権限の有無が書き込まれた権限情報、及び作業班情報テーブル３ｂ３から作業班ＩＤ、作業班の名称、及びパスワードが書き込まれた作業班情報が含まれる。
座標情報関連データ６ｂには、座標情報テーブル３ｂ７から施工箇所を表わす線分の開始Ｘ座標、開始Ｙ座標、終了Ｘ座標、終了Ｙ座標、線分を識別する積算ＩＤ、現場ＩＤ、図面ＩＤ及び施工箇所グループＩＤが書き込まれた座標情報、施工箇所グループ情報テーブル３ｂ５から施工箇所グループＩＤ、現場ＩＤ、図面ＩＤ、及び複数の線分で囲う領域を特定する施工箇所グループの名称が書き込まれた施工箇所グループ情報、施工区分情報テーブル３ｂ６から施工区分ＩＤ及び施工区分の名称が書き込まれた施工区分情報が含まれる。
積算集計値データ６ｃには、積算集計値テーブル３ｂ８から書き込まれた積算ＩＤ及び積算数量が含まれる。
出来高締めデータ６ｄには、出来高締め情報テーブル３ｂ１３から書き込まれた積算ＩＤ、処理対象月、作業班ＩＤ、及び出来高締めの出来高率が含まれる。
出来高実績データ６ｅには、出来高実績情報テーブル３ｂ１０から書き込まれた積算ＩＤ、処理対象月、作業班ＩＤ、当月の実績出来高率、前月の実績出来高率、条件を満たさないことを示す識別子、及び作業年月日が含まれる。
出来高履歴データ６ｆには、出来高履歴情報テーブル３ｂ９から書き込まれた積算ＩＤ、処理対象月、作業班ＩＤ、登録日、送信対象となった識別子、出来高率、要注意を示す識別子が含まれる。
ダメ工事データ６ｇには、ダメ工事情報テーブル３ｂ１２から書き込まれた積算ＩＤ、作業班ＩＤ、登録日、対応完了日、及びダメ工事の内容が含まれる。
ＪＰＥＧ形式の画像ファイル６ｈには、図面ＩＤに関連付けられた設計図の画像データ、積算ＩＤに関連付けられた施工箇所の写真の画像データが含まれる。
受渡ファイルは、これらのデータ群をＺＩＰ形式に圧縮し、出来高管理装置から各携帯端末機に送られる。
【００３２】
表２は、ＤＢの各テーブルの使用状況を示す一覧表である。
【表２】
2013206099.tif 000005
表２に示すように、マスタデータベースは、端末情報テーブル、現場情報テーブル、図面情報テーブル、権限情報テーブル、作業班情報テーブル、出来高実績テーブル、出来高集計情報テーブル、及び出来高締めテーブル、については書き込みも読み出しも可能であるが、座標情報テーブル、施工箇所グループテーブル、施工区分テーブル、積算集計値テーブ
ル、出来高履歴テーブル、及びダメ工事テーブルについては読み出しのみ可能で、書き込みはできない構造になっている。また、受渡ファイル情報テーブルについては書き込みのみ可能で、読み出しはできない構造になっている。他方、スレーブデータベースは端末情報テーブル、受渡ファイル情報テーブル、出来高履歴テーブル、出来高集計情報テーブル、及びダメ工事テーブルは、書き込みも読み出しも可能であるが、現場情報テーブル、図面情報テーブル、権限情報テーブル、作業班情報テーブル、座標情報テーブル、施工箇所グループテーブル、施工区分テーブル、及び積算集計値テーブル、出来高締めテーブル、出来高実績テーブルについては読み出しのみ可能で、書き込みはできない構造になっている。
出来高管理装置から携帯端末機に送信する受渡ファイルには、マスタデータベースに格納された、送信先の携帯端末機及び作業班の名称、作業班ＩＤが記述された受渡ファイル情報のほか、現場情報テーブル、図面情報テーブル、権限情報テーブル、作業班情報テーブ
ル、座標情報テーブル、施工箇所グループテーブル、施工区分テーブル、積算集計値テーブル、出来高締めテーブル、及び出来高実績テーブルに記述されたデータのうち、当該出来高管理装置が出来高管理の対象としている建築工事の現場ＩＤ、及び対象とする設計図を識別する図面ＩＤに関連付けられたデータ群が格納される。
一方、携帯端末機から出来高管理装置に送信する受渡データには、スレーブデータベースに格納された、送信元の携帯端末機の端末ID、作業班の名称、作業班ＩＤ、及び送信先の出来高管理装置の端末IDが記述された受渡データ情報のほか、出来高履歴テーブル、及びダメ工事テーブルに記述されたデータが含まれる。
【００３３】
次に、出来高管理装置で行われる処理について、画面に表示されるメニュー項目に従って説明する。
図５は、出来高管理装置の電源をＯＮにしたときに表示されるログイン画面を示す図である。
図５に示すログイン画面には、出来高処理を行う対象年月選択ボックス３１と、ログインする人の氏名選択ボックス３２と、パスワード入力ボックス３３が表示され、それぞれを選択又は入力した後、「開始」ボタン３４を押すと、メニュー選択画面が表示される。
【００３４】
図６は、出来高管理装置におけるメニュー選択画面の一例を示す図である。
図６に示すメニュー選択画面には、「携帯端末機情報登録」ボタン３５と「現場情報登録」ボタン３６と「現場選択」ボタン３７と「出来高履歴取込」ボタン３８とが表示される。
受渡ファイルを各携帯端末機に送信する場合は、「携帯端末機情報登録」ボタン３５をクリックし、受渡ファイルを送信する送信先の携帯端末機のアドレスを登録し、「現場情報登録」ボタン３６をクリックして、出来高管理を行う建築工事の名称、識別情報、関連する設計図、及び積算データを登録し、建築工事に従事する作業班の名称及びパスワードを登録する。そして、「現場選択」ボタン３７をクリックし、出来高管理を行う建築工事の現場名称、及び関連する設計図を選択する。
【００３５】
図７は、受渡ファイルを作成・送信する選択画面の一例を示す図である。
図７に示す選択画面の「現場名」選択メニュー３９により、出来高管理を行う建築工事の現場名称を選択し、現場ＩＤを特定する。また、「図面名」選択メニュー４０により、関連する設計図を選択し、図面ＩＤを特定する。
現場ＩＤ及び図面ＩＤが特定されると、現場ＩＤ及び図面ＩＤに関連付けられた積算ＩＤ、及び積算ＩＤに関連付けられた積算数量、出来高の月締めを行った出来高率、出来高査定を行った出来高率、作業班が登録したダメ工事の内容・アクションが特定され、同時に、図面ＩＤに関連付けられた設計図の画像データや積算ＩＤに関連付けられた施工箇所の写真の画像データ（後述する。）が特定される。そして、図４に示した受渡ファイルが作成され、図７に示す選択画面の「送信」ボタン４１がクリックされると、「現場情報登録」ボタン３６により予め登録された各作業班に受渡ファイル６が送信される。
【００３６】
図８は、携帯端末機から受信した受渡データの取込画面の一例を示す図である。
図８に示すメニュー選択画面の「出来高履歴取込」ボタン３８をクリックすると受渡データ７に記述された積算ＩＤ、作業班ＩＤに従って、携帯端末機２で登録された出来高率がマスタデータベース３ｂの出来高履歴テーブル３ｂ９に書き込まれる。
【００３７】
図９は、出来高査定を行う選択画面の一例を示す図である。
図９に示す選択画面には、「集計」ボタン４２、「締め」ボタン４３、「査定」ボタン４４、「送信」ボタン４１と、「現場名」の選択メニュー３９と、「図面名」の選択メニュー４０が表示される。「査定」ボタン４４をクリックすると、後述する出来高査定の処理が開始し、出来高査定処理の結果が画面に表示される。
【００３８】
図１０は、出来高査定処理の結果を表示する画面の一例を示す図である。
図１０に示す画面には、設計図上に、出来高査定後の累積出来高実績（出来高率）が、施工箇所を表わす線分の種別で表示されている。すなわち、１００％終了した施工箇所は、太い実線Ｌ１で表わされ、施工中で出来高率が１００％未満の施工箇所は、太い破線Ｌ２で表わされ、未着工の施工箇所は、細い実線Ｌ３で表わされる。また、天井・床等の領域が施工箇所の場合には、その領域の出来高率を色で表示することができる。すなわち、１００％終了した施工箇所は、緑色に塗りつぶし、施工中で出来高率が１００％未満の施工箇所は、緑色の斜線で表し、未着工の施工箇所は、緑色の多数の点で表すことができる。
画面上部には、メニューバーが表示され、出来高率を表示させたい作業班を選択する「作業班」ボタン４４ａ、領域の識別子（施工箇所グループＩＤ）を選択する「室名」ボタン４４ｂ、施工区分を選択する「施工区分」ボタン４４ｃ、査定条件を満たさない施工箇所やダメ工事の施工箇所等を選択する「追加条件」ボタン４４ｄにより画面表示するレイヤを選択し、選択されたレイヤに応じて線分Ｌ１，Ｌ２の種別や領域の色が変化する。
また、画面に表示された線分Ｌ１、Ｌ２、Ｌ３又は領域の識別子（病室Ａ１、病室Ａ２）Ｓ１，Ｓ２をタッチ操作すると、タッチ操作された線分Ｌ１，Ｌ２及び領域の識別子（積算ＩＤ及び施工箇所グル―プＩＤ）Ｓ１，Ｓ２に関連付けた積算数量や出来高率、ダメ工事の対応状況が画面に一覧表示される。
ここで、タッチ操作は、タップにより施工箇所を選択してもよいし、ドラッグして複数の施工箇所を選択してもよい。
また、査定条件を満たさない施工箇所に対し、作業班又は施工業者から聞取り等を行い、査定条件を満たすこととなった場合には、一覧表示された登録画面において出来高率等の修正を行い、「登録」ボタン４４ｅをクリックする事により、マスタデータベースに反映させることができる。
また、本実施形態において、施工箇所が線分で表される場合には、１００％終了した施工箇所は、太い実線、施工中で出来高率が１００％未満の施工箇所は、太い破線、未着工の施工箇所は、細い実線でそれぞれ表示され、施工箇所が領域で表される場合には、１００％終了した施工箇所は、緑色に塗りつぶし、施工中で出来高率が１００％未満の施工箇所は、緑色の斜線、未着工の施工箇所は、緑色の多数の点でそれぞれ表示されているが、線分及び領域の出来高率を表示する線種及び色は、必ずしもこれらに限定されず、鎖線や二重線などを用いてもよく、また三原色のみならず中間色などを用いてもよい。
【００３９】
図１１は、締め処理を行う選択メニュー画面を示す図であり、図１２は、出来高一覧表を示す図である。
図１１に示す選択画面には、「締め」ボタン４３、「集計」ボタン４２、「送信」ボタン４１と、「現場名」の選択メニュー３９と、「図面名」の選択メニュー４０が表示される。「締め」ボタン４３をクリックすると、後述する月締め処理がスタートする。そして、「集計」ボタン４２をクリックすると、矢印で示す集計結果の選択画面が表示される。画面には、「出来高一覧表」ボタン４５、「出来高集計表」ボタン４６があり、クリックすると、図１２に示す出来高一覧表が表示される。
出来高一覧表には、契約数量と金額、先月までの出来高数量と金額、当月出来高数量と金額、累計出来高と金額、残高数量と金額それぞれが、施工区分毎に集計された出来高一覧表と、施工区分毎の数量と当月出来高数量、施工業者毎の内訳出来高数量が集計された出来高集計表とがある。
【００４０】
図１３は、受渡ファイルを作成・送信処理を示す図である。
図９に示す選択画面で建築工事の現場を選択して現場ＩＤを特定し、選択画面で設計図を選択して図面ＩＤを特定すると、処理が開始される。
図１３において、マスタデータベース３ｂに格納された受渡ファイル情報テーブルに記述された情報を参照し、受渡ファイルを送信する携帯端末機を選択する（Ｓ−１）。そして、特定された図面ＩＤにより、その図面ＩＤに関連付けられた積算ＩＤ、施工区分ＩＤ、施工箇所グループＩＤを特定し、特定された積算ＩＤから、その積算ＩＤに関連付けられた施工箇所の座標情報、積算集計値、ダメ工事情報、出来高締め情報をマスタデータベース３ｂから読み出し、受渡ファイルを作成する（Ｓ−２）。作成された受渡ファイル６は、送信対象として選択した携帯端末機に例えばメールで送信される。
【００４１】
図１４は、携帯端末機から受信した受渡データの取込処理を示す図である。
図８に示すメニュー画面で「出来高履歴取込」ボタン３８がクリックされると、処理が開始される。
図１４において処理が開始されると、複数の携帯端末機から受信した受渡データ７を、各携帯端末機毎（すなわち、各作業班毎）に取込みを行う。始めに、ダメ工事情報が取込まれ、マスタデータベース３ｂのダメ工事情報テーブルに書き込まれる（Ｓ−３）。次に、出来高履歴が取込まれ、マスタデータベース３ｂの出来高履歴情報テーブルに書き込まれる（Ｓ−４）。
【００４２】
図１５は、携帯端末機から受信した受渡データのチェック処理を示す図である。
図９に示す選択画面で「査定」ボタン４４がクリックされると、チェック処理が開始される。図１５において、処理が開始されると、各携帯端末機毎（すなわち、各作業班毎）にチェック処理が行われる。マスタデータベース３ｂの出来高履歴情報テーブルから特定の携帯端末機で登録された出来高履歴が読み出され、実績出来高が算出され、算出された実績出来高は、取込みフラグを付して出来高実績情報テーブルに格納される（Ｓ−５）。次に、ダメ工事情報テーブルから、ダメ工事が登録された施工箇所に対し、アクションが取られたか否かを、対応日の記録によって判別し、対応日が記録されていない実績出来高に要注意フラグを付する（Ｓ−６）。対応日が記録されている実績出来高は、これまでの累積実績出来高が１００％を超過していないか、前回の累積実績出来高よりも減殺されていないかを判別し、１００％を超過するか、あるいは減殺されている場合は、その実績出来高に要注意フラグを付する（Ｓ−７）。そして、１００％以下か、あるいは減殺されていない場合には、同じ施工区分ＩＤ、同じ積算ＩＤにおいて他の作業班からも登録されていないかどうかを判別し、他の作業班からも登録されている場合には、その実績出来高に要注意フラグを付す（Ｓ−８）。他の作業班から登録されていない場合には、条件を満たすと判別し、その実績出来高を出来高実績と認定し、出来高実績情報テーブルにその出来高実績を格納する（Ｓ−９）。また、出来高実績情報テーブルに格納された出来高実績を各施工箇所毎、各施工区分毎に集計した出来高集計を算出し、出来高集計情報テーブルに格納する（Ｓ−１０）。
【００４３】
図１６は、月締め処理を示す図である。
図１１に示す選択画面において「締め」ボタン４３がクリックされると、月締め処理が開始される。図１６において、月締め処理が開始されると、マスタデータベース３ｂの出来高実績情報テーブルから出来高査定をクリアした当月の実績出来高が読みだされ（Ｓ−１１）、また累積出来高実績が読みだされ（Ｓ−１２）、作業班ＩＤに基づいて、施工業者毎の出来高実績集計、施工区分毎に集計された出来高一覧表、施工区分毎の数量と当月出来高数量、施工業者毎の内訳出来高数量が集計された出来高集計表が作成され、締めを行った作業班毎の出来高実績、累積出来高実績が、出来高締め情報テーブルに格納される（Ｓ−１３）。
【００４４】
次に、携帯端末機で行われる処理について、画面に表示されるメニュー項目に従って説明する。
図１７は、携帯端末機の電源をＯＮにしたときに表示されるログイン画面を示す図である。
図１７に示すログイン画面には、出来高管理装置と同様に、出来高処理を行う対象年月を選択するボックス３１と、ログインする人の氏名を選択するボックス３２と、パスワードを入力するボックス３３が表示され、それぞれを選択又は入力した後、「開始」ボタン３４を押すと、メニュー選択画面が表示される。
【００４５】
図１８は、携帯端末機におけるメニュー選択画面の一例を示す図である。
図１８に示すメニュー選択画面には、「受渡データ取込」ボタン４７と「現場選択」ボタン４８と「出来高履歴送信」ボタン４９が表示される。受信した受渡ファイル６を取込む場合や登録した出来高履歴を出来高管理装置５に送信する場合には、「現場選択」ボタン４８により、建築工事の現場を特定する。それにより、受渡ファイル６から取込む図面ＩＤが特定され、それに関連付けられたデータ群が特定される。また、出来高履歴を送信する送信先の出来高管理装置５が特定される。
「受渡データ取込」ボタン４７がクリックされると、受渡ファイル６に記述された、送信先の携帯端末機２と送信元の出来高管理装置５それぞれの端末ＩＤが確認された後、受渡ファイル６に格納された図面情報テーブル、座標情報テーブル、積算集計値テーブル、出来高締め情報テーブル、出来高実績情報テーブル、ダメ工事情報テーブルからなるキャラクタデータと、設計図の画像データからなるイメージデータとがスレーブデータベース２５に書き込まれる。
図１９〜図２１は、出来高履歴の登録画面の一例を示す図である。
【００４６】
図１８に示すメニュー選択画面で、「出来高履歴送信」ボタン４９がクリックされると、図１９に一例を示す、出来高の登録と出来高履歴の送信画面が表示される。
図１９に示す「現場名」選択メニュー３９により、出来高管理を行う建築工事の現場名称を選択し、現場ＩＤを特定する。また、「図面名」選択メニュー４０により、関連する設計図を選択し、図面ＩＤを特定する。
現場ＩＤ及び図面ＩＤが特定されると、現場ＩＤ及び図面ＩＤに関連付けた積算ＩＤ、及び積算ＩＤに関連付けた積算数量、作業班が登録を行った出来高率、作業班が登録したダメ工事の内容が特定され、同時に、図面ＩＤに関連付けた設計図の施工箇所が特定される。「登録」ボタン５０をクリックすると、図２０に示す出来高登録画面が表示される。
【００４７】
図２０に示す出来高登録画面には、設計図上の線分の種別で出来高率が表示されている。太い実線Ｌ１は、１００％終了した施工箇所を表し、太い破線Ｌ２は、施工中のため出来高率が１００％未満の施工箇所を表している。
画面上部には、メニューバーが表示され、出来高率の表示や登録を行う作業班を選択する「作業班」ボタン４４ａ、施工箇所グループを選択する「室名」ボタン４４ｂ、施工区分を選択する「施工区分」ボタン４４ｃ、登録した出来高を減査定された施工箇所やダメ工事などを表示させる「追加条件」ボタン４４ｄによりレイヤを選択する。それにより、選択されたレイヤにおける出来高率が線分の種別、色あるいは領域（室・ホール等の空間）の色等で表示される。
すなわち、線分の出来高率が１００％のときは太い実線Ｌ１で、線分の出来高率が１００％未満のときは太い破線Ｌ２で、未着手のときは、細い実線Ｌ３で表示され、領域の出来高率が１００％のときはその領域全体を例えば緑色で塗りつぶし、領域の出来高率が１００％未満のときはその領域全体を例えば緑色の斜線で、未着手のときは、緑色の多数の点で表示される。
また、画面に表示された線分Ｌ１、Ｌ２、Ｌ３がタッチ操作されると、タッチ操作された線分で表わされた壁面など施工箇所の積算ＩＤ、積算ＩＤに関連付けた仕様名、規格・寸法、積算数量、出来高率、出来高数量、ダメ工事の有無、確認依頼の有無の一覧表が画面に表示される。
さらに、画面に表示された領域の識別子（例えば、病室Ａ１、病室Ａ２など）Ｓ１、Ｓ２がタッチ操作されると、タッチ操作された識別子で表わされる天井・床などの施工箇所グループＩＤ、施工箇所グループＩＤに関連付けた仕様名、規格・寸法、積算数量、出来高率、出来高数量、ダメ工事の有無、確認依頼の有無の一覧表が画面に表示される。
また、画面には、全選択ボタン４４ｇ、１００％完了ボタン４４ｆ、出来高登録ボタン４４ｅがあり、全選択ボタン４４ｇにより一覧表示された全ての工事仕様を対象にすることができる。また、各施工箇所の完了を１００％完了ボタン４４ｆにより登録することや、一覧表に出来高率、出来高数量、ダメ工事などを手入力して、出来高登録ボタン４４ｅにより登録することもできる。
ここで、タッチ操作は、タップにより単一の施工箇所を選択してもよいし、ドラッグして複数の施工箇所を選択してもよい。また、ダメ工事や各施工箇所の具体的な出来形を、携帯端末機が有するカメラ機能で撮影し、登録された情報に添付して出来高管理装置に送信することもできる。
【００４８】
図２１は、出来高率の表示方法の一例を示す図である。
図２１に示すように、出来高率は、施工箇所が壁面など積算ＩＤで識別される線分の表示と、施工箇所が天井・床など施工箇所グループＩＤで識別される領域の表示とでは表示方法が異なっている。天井・床などの出来高率は、（ａ）から（ｃ）のように「該当する面」が色表示され、（ａ）の１００％の場合は、例えば緑色で塗りつぶされ、（ｂ）の着手したが１００％未満の場合は、例えば緑色の斜線で表示される。また、（ｃ）の未着手の場合は、緑色の多数の点で表示される。一方、壁面などの出来高率は、（ｄ）から（ｆ）のように「該当する線分」が線種により表示され、（ｄ）の１００％の場合は、例えば太い実線で表示され、（ｅ）の着手したが１００％未満の場合は、太い破線で表示され、（ｆ）の未着手の場合は、細い実線で表示される。
【００４９】
図２２は、出来高管理装置から受信した受渡ファイルの取込処理を示す図である。
図１８に示す「受渡データ取込」ボタン４７がクリックされると、受渡ファイル６を取込む処理が開始される。
図２２において、受渡ファイル６の取込処理が開始されると、受渡ファイル取込手段５２は、受渡ファイル６に格納されたデータ群のうち出来高実績及び累積出来高実績を一旦メモリ５２ａに保持し、それ以外をスレーブデータベース２５に格納する（Ｓ−１５）。
次に、出来高情報の登録を行ったときスレーブデータベース２５に格納された出来高履歴を出来高履歴情報テーブルから読み出し、読み出された出来高履歴とメモリ５２ａに一旦保持した累積出来高実績とを比較する（Ｓ−１６）。比較結果が不一致の場合は、スレーブデータベースに格納された出来高履歴に要チェックフラグを付する（Ｓ−１７）。比較結果が一致した場合は、出来高実績及び累積出来高実績をスレーブデータベースの出来高実績情報テーブルに格納する（Ｓ−１８）。また、出来高履歴情報テーブルに格納された出来高履歴を読み出し、更に出来高実績情報テーブルに格納された出来高実績を読み出して、各施工箇所、各施工区分について集計し、出来高集計を算出し、算出された出来高集計は、スレーブデータベースの出来高集計情報テーブルに格納する（Ｓ−１９）。
【００５０】
図２３は、登録された出来高情報を出来高管理装置に送信する処理を示す図である。
図１８に示す「出来高履歴送信」ボタン４９がクリックされると出来高管理装置に送信する受渡データの作成処理が開始される。
図２３において、受渡データの作成処理が開始されると、スレーブデータベース２５の受渡ファイル情報テーブルから各出来高管理装置、各携帯端末機の端末ＩＤ、作業班ＩＤ、作業班の名称を読み出して画面に表示し、送信先の出来高管理装置を選択し、同時に送信元の送信元の識別情報が特定される（Ｓ−２０）。
次に、スレーブデータベース２５に格納された出来高履歴情報テーブルから、今回登録された出来高履歴にフラグを付けて、受渡データに書き込む（Ｓ−２１）。さらに、ダメ工事情報テーブルに新たなダメ工事が登録されていれば、そのダメ工事の情報を受渡データ（本発明の「出来高情報」に相当する。）に書き込み、受渡データの作成処理を終了する（Ｓ−２１）。次に、図１９に示す出来高履歴送信画面の「送信」ボタン６０がクリックされると、図２３において選択された送信先の出来高管理装置５に受渡データ７送信される。
【産業上の利用可能性】
【００５１】
複数の施工業者、複数の作業班が従事する各種の建築工事における工程管理や出来高管理の自動化、工事代金の支払いや工事代金の請求書類の自動作成に利用可能である。
【符号の説明】
【００５２】
１    ネットワーク
２    携帯端末機
３    サーバ
３ａ    フォルダ
３ｂ    マスタデータベース
３ｂ１  現場情報テーブル
３ｂ２  図面情報テーブル
３ｂ３  作業班情報テーブル
３ｂ４  権限情報テーブル
３ｂ５  施工箇所グループテーブル
３ｂ６  施工区分テーブル
３ｂ７  座標情報テーブル
３ｂ８  積算集計値テーブル
３ｂ９  出来高履歴情報テーブル
３ｂ１０  出来高実績情報テーブル
３ｂ１１  出来高集計情報テーブル
３ｂ１２  ダメ工事情報テーブル
３ｂ１３  出来高締め情報テーブル
４    ＬＡＮ
５    出来高管理装置
６    受渡ファイル
６ａ  図面情報関連データ
６ｂ  座標情報関連データ
６ｃ  積算集計値データ
６ｄ  出来高締めデータ
６ｅ  出来高実績データ
６ｆ  出来高履歴データ
６ｇ  ダメ工事データ
６ｈ  画像ファイル
７    受渡データ
２１  携帯指令手段
２２  受渡ファイル取込み手段
２３  出来高登録手段
２４  出来高送信手段
２５  スレーブデータベース
３１  対象年月選択ボックス
３２  氏名選択ボックス
３３  パスワード入力ボックス
３４  開始ボタン
３５  携帯端末機情報登録ボタン
３６  現場情報登録ボタン
３７  現場選択ボタン
３８  出来高履歴取込ボタン
３９  現場名選択メニュー
４０  図面名選択メニュー
４１  送信ボタン
４２  集計ボタン
４３  締めボタン
４４  査定ボタン
４４ａ  作業班ボタン
４４ｂ  室名ボタン
４４ｃ  施工区分ボタン
４４ｄ  追加条件ボタン
４４ｅ  登録ボタン
４４ｆ    １００％完了ボタン
４４ｇ  全選択ボタン
４５  出来高一覧ボタン
４６  出来高集計ボタン
４７  受渡データ取込ボタン
４８  現場選択ボタン
４９  出来高履歴送信ボタン
５０  登録ボタン
５１  指令手段
５２  出来高データ取込手段
５２ａ  メモリ  
５３  出来高チェック手段
５４  月締処理手段
５５  受渡ファイル送信手段
５６  出来高表示手段
６０  送信ボタン
【図１】
2013206099.tif 000006
【図２】
2013206099.tif 000007
【図３】
2013206099.tif 000008
【図４】
2013206099.tif 000009
【図５】
2013206099.tif 000010
【図６】
2013206099.tif 000011
【図７】
2013206099.tif 000012
【図８】
2013206099.tif 000013
【図９】
2013206099.tif 000014
【図１０】
2013206099.tif 000015
【図１１】
2013206099.tif 000016
【図１２】
2013206099.tif 000017
【図１４】
2013206099.tif 000018
【図１５】
2013206099.tif 000019
【図１６】
2013206099.tif 000020
【図１７】
2013206099.tif 000021
【図１８】
2013206099.tif 000022
【図１９】
2013206099.tif 000023
【図２０】
2013206099.tif 000024
【図２１】
2013206099.tif 000025
【図２２】
2013206099.tif 000026
【図２３】
2013206099.tif 000027
【図１３】
2013206099.tif 000028